(57)【特許請求の範囲】
【請求項１】
ギヤケースから左右側方にサポートアームを突出し、この左右サポートアームの外端に伝動ケースとサイドフレームとを取り付け、この伝動ケースとサイドフレームの下部に軸受部を介して回転軸を設け、両回転軸間に爪軸を連結し、この爪軸に多数の耕耘爪を装着する爪ブラケットを設けると共に前記爪軸の左右両端部にそれぞれ取り付け体を設け、この取り付け体より軸方向外側でかつ前記伝動ケースとサイドフレームとに近接して草巻き付き防止用の左右ディスクを配置し、この左右各ディスクを前記取り付け体に固定しており、
前記左右各ディスクは爪軸に径外側から嵌合して複数枚で略円形の外周を有する円盤形状を形成する分割形状であり、
前記取り付け体を前記耕耘爪と共に前記爪ブラケットに着脱自在に取り付けていることを特徴とするロータリ耕耘機。
【請求項２】
前記取り付け体は、前記爪ブラケットに嵌合して前記耕耘爪取り付け用のボルトで共締めされる嵌合部と、この嵌合部の端部から延出して前記ディスクを固定する取付フランジ部とを有することを特徴とする請求項１に記載のロータリ耕耘機。
【請求項３】
前記各分割ディスクは隣り合う分割ディスクの端部とオーバラップしてボルトによって周方向に連結されていて、そのオーバラップ部分の回転方向先行側端部には前記ボルトの頭部を隠すための突条部が形成されていることを特徴とする請求項１又は２に記載のロータリ耕耘機。
【発明の詳細な説明】
【０００１】
【発明の属する技術分野】
本発明は、草の巻き付きを防止できるようにしたロータリ耕耘機に関する。
【０００２】
【従来の技術】
収穫後の残桿処理、特にい草、メロン、スイカ等を収穫した後をロータリ耕耘すると、長い茎葉、蔓が多いため、稲等の収穫後の耕耘に比べて草（茎葉、蔓等）の巻き付きが激しく、作業能率を低下させる。
爪軸に対する草の巻き付きは、特許第２９３１５２６号公報に開示されているように、爪軸の軸方向に沿う線状部材を前記爪軸から離間して支持することにより防止でき、爪軸の軸端外方の軸受部分に対する草の巻き付きは、特公昭４０−２０６４４号公報に開示されているように、爪軸の軸端に軸支部に近接して皿状の円盤を設けることにより防止できるようになっている。
【０００３】
【発明が解決しようとする課題】
前記従来技術の爪軸軸端の円盤は、円形状の１枚ものの板材を爪軸に直接固着しており、爪軸をロータリ機枠から取り外しても着脱することができなく、不要時に取り外すアタッチメントとして機能させることはできなかった。
この円盤Ｐを、図９に示すように、爪軸３に取り付け体４を設けておいて、ロータリ機枠から取り外した爪軸３に端部から嵌合して着脱自在に装着するように構成することは可能であるが、ロータリ機枠に対する爪軸３の着脱は手間がかかるので、圃場条件に応じて円盤Ｐを着脱することは現実的には困難になる。なお、図９の円盤Ｐは外周縁に鋸歯状切断刃８を形成していて、草を強力に切断できるようになっており、取り付け体４は爪軸３に溶着されている。
【０００４】
本発明は、このような種々の問題点を解決できるようにしたロータリ耕耘機を提供することを目的とする。
本発明は、草巻き付き防止用のディスクを、爪軸に径外側から嵌合して複数枚で略円形の外周を形成するように構成することにより、爪軸を取り外さなくとも簡単かつ容易に着脱できるようにしたロータリ耕耘機を提供することを目的とする。
【０００５】
【課題を解決するための手段】
本発明における課題解決のための第１の具体的手段は、耕耘爪２を装着した爪軸３の端部に取り付け体４を設け、爪軸３に径外側から嵌合して複数枚で略円形の外周を形成する草巻き付き防止用のディスク５を前記取り付け体４に固定していることである。
これによって、ディスク５は複数枚に分割されていて、爪軸３を取り外さなくとも着脱可能であり、複数のディスク５を取り付け体４に取り付けると、略円形の外周が形成され、草の巻き付きが十分に防止される。
【０００６】
本発明における課題解決のための第２の具体的手段は、ギヤケース１１から左右側方にサポートアーム１２を突出し、この左右サポートアーム１２の外端に伝動ケース１３とサイドフレーム１４とを取り付け、この伝動ケース１３とサイドフレーム１４の下部に軸受部１７を介して回転軸１５を設け、両回転軸１５間に爪軸３を連結し、この爪軸３に多数の耕耘爪２を装着すると共に爪軸３の左右両端部にそれぞれ取り付け体４を設け、この取り付け体４より軸方向外側でかつ伝動ケース１３とサイドフレーム１４とに近接して草巻き付き防止用の左右ディスク５を配置し、この左右各ディスク５を前記取り付け体４に固定しており、前記左右各ディスク５は爪軸３に径外側から嵌合して複数枚で略円形の外周を形成する分割形状であることである。
【０００７】
これによって、ディスク５は複数枚に分割されていて、爪軸３を取り外さなくとも着脱可能であり、複数枚のディスク５を取り付け体４に取り付けると、略円形の外周が形成され、軸受部１７への草の巻き付きが十分に防止される。
本発明における課題解決のための第３の具体的手段は、第１又は２の具体的手段に加えて、前記爪軸３に耕耘爪２を取り付ける爪ブラケット１６を設け、この爪ブラケット１６に前記取り付け体４を耕耘爪２と共に着脱自在に取り付けていることである。
【０００８】
これによって、取り付け体４の取り付けが極めて簡単かつ安価にでき、既存の爪軸３を何ら加工を施すことなく、取り付け体４及びディスク５を取り付けることが可能になる。
本発明における課題解決のための第４の具体的手段は、第１〜３のいずれかの具体的手段に加えて、前記ディスク５の周方向端部を隣り合うディスク５の周方向端部にオーバラップして連結していることである。
これによって、複数枚のディスク５を周方向に連結しておくことが可能となり、保形強度及び取り付け強度が向上される。
【０００９】
本発明における課題解決のための第５の具体的手段は、第１〜４のいずれかの具体的手段に加えて、前記ディスク５の内周側に連結板６を連結し、この連結板６の端部を周方向に隣り合うディスク５に連結し、前記連結板６を介してディスク５を取り付け体４に固定していることである。
これによって、ディスク５の補強と取り付け強度とが向上される。
本発明における課題解決のための第６の具体的手段は、第１〜５のいずれかの具体的手段に加えて、前記ディスク５の外径Ｄを耕耘爪２の外端の回転軌跡径Ｅと略等しく設定していることである。
【００１０】
これによって、耕耘爪２側から外側方に押しやられてくる草をより確実に移動阻止可能となり、爪軸３の軸受部１７への巻き付きが防止される。
本発明における課題解決のための第７の具体的手段は、第１〜６のいずれかの具体的手段に加えて、前記ディスク５の外周縁に切断刃８を形成していることである。
これによって、草を短く切断して、爪軸３の軸受部１７への草の巻き付きがより効果的に防止される。
【００１１】
本発明における課題解決のための第８の具体的手段は、第１〜７のいずれかの具体的手段に加えて、前記爪軸３の両端部の耕耘爪２間に線状部材７を張設しており、この線状部材７を周方向少なくとも１本設けていることである。
これによって、爪軸３に対応する線状部材７が加わって、ロータリ耕耘機の全幅に亘る草の巻き付きが防止される。
【００１２】
【発明の実施の形態】
以下、本発明の実施の形態を図面に基づいて説明する。
図１〜７において、１はサイドドライブ式のロータリ耕耘機で、ギヤケース１１から左右側方にサポートアーム１２を突出し、この左右サポートアーム１２の外端に伝動ケース１３とサイドフレーム１４とを取り付けてロータリ機枠１０を構成し、前記伝動ケース１３とサイドフレーム１４の下部に軸受部１７を介して回転軸１５を設け、両回転軸１５間に爪軸３を連結している。
【００１３】
動力は、トラクタのＰＴＯ軸からギヤケース１１の入力軸１９に伝達され、ギヤケース１１内のギヤ及び左サポートアーム１２内の伝動軸を介して伝動ケース１３内のチェーン伝動手段１８に伝達され、伝動ケース１３側の回転軸１５を介して爪軸３を駆動する。伝動ケース１３側の回転軸が駆動爪軸となり、サイドフレーム１４側の回転軸が遊転軸となっている。
前記伝動ケース１３とサイドフレーム１４の内側には耕耘部２０を覆うカバー装置２１が設けられている。このカバー装置２１は、耕耘部２０の上方を覆う主カバー２２の左右側部に、伝動ケース１３及びサイドフレーム１４に取り付ける側部カバー２３を固着し、前記主カバー２２の耕耘部２０側の面に弾性カバー２４を張設しており、主カバー２２の後部には耕耘部２０を後方から覆う後部カバー（図示せず）が上下揺動自在に枢支されている。
【００１４】
円筒管で形成された前記爪軸３には、軸方向及び周方向に間隔をおいて多数の爪ブラケット１６が設けられている。この爪ブラケット１６は大きいコ字形部材に小さいコ字形部材を嵌合した形状であり、中央に耕耘爪２の基部を挿入する凹部１６Ａが形成されている。
爪軸３の左右両端には、軸方向位置が略同一で周方向に離れた位置に２つの爪ブラケット１６が設けられており、一方の爪ブラケット１６には他と同様ななた爪２Ａが装着されているのに対し、他方の爪ブラケット１６には耕耘幅を可及的に広くすべく、爪軸３の軸外方向に突出した部分を有する形状の特殊爪２Ｂが装着されている。
【００１５】
各耕耘爪２はその基部を爪ブラケット１６の凹部１６Ａに挿入し、それらにボルト２７を挿通し、ナットを螺合して締結している。
７は細棒、スプリング又はワイヤ等で形成された線状部材で、爪軸３の外方に略沿って配置され、爪軸３の周方向に１本又は複数本、実施の形態では２本設けられている。
前記線状部材７の両端及び中途部には係止具２８が連結され、この係止具２８が爪軸３の両端及び中途部に位置する耕耘爪２に係止されている。係止具２８には長孔２９が形成され、この長孔２９に耕耘爪２が挿入されている。
【００１６】
前記特殊爪２Ｂより爪軸３軸方向外方には、草の巻き付き防止用のディスク５が配置されており、取り付け体４を介して爪軸３に固定されている。このディスク５は伝動ケース１３及びサイドフレーム１４の内側面に僅かな間隙をおいて近接しており、取り付け体４を介して爪ブラケット１６に着脱自在に装着されている。
取り付け体４は板材を折り曲げて正面視ハット形状に形成しており、爪ブラケット１６に嵌合するコ字状の嵌合部４Ａと、この嵌合部４Ａの両端から延出された取付フランジ部４Ｂとを有する。
【００１７】
前記嵌合部４Ａは爪ブラケット１６に嵌合した状態で、耕耘爪２取り付け用のボルト２７によって爪ブラケット１６に共締めされ、両端の取付フランジ部４Ｂは連結板６を介在してディスク５にボルト３２で固定される。
従って、取り付け体４は既存のロータリ耕耘機であっても、爪軸３及び爪ブラケット１６を加工することなく、爪ブラケット１６に取り付けることができ、よって、既存のロータリ機枠１０に装着されたままの爪軸３にディスク５を取り付けることができ、取り付け体４及びディスク５を外すと、草巻き付き防止が不要なロータリ耕耘作業に適した状態に簡単に変更できる。
【００１８】
ディスク５は２枚の分割ディスク５Ａに分割されており、２枚の分割ディスク５Ａは同一形状（略半円形状）で、爪軸３に径外側から嵌合可能であり、２枚を組合わせることで略円形の外周を有する円盤形状となる。
前記ディスク５の外径Ｄは、耕耘爪２の外端の回転軌跡径（耕耘部２０の外径）Ｅと略等しく設定され、耕耘爪２側から外側方に押しやられてくる草をより確実に移動阻止可能となっている。
各分割ディスク５Ａは１８０度より若干長い円弧形状であり、その長い分だけ隣り合う分割ディスク５Ａの端部とオーバラップし、そのオーバラップ部分５Ｂでボルト３１によって周方向に連結される。このオーバラップ部分５Ｂの端部（回転方向先行側）には、前記ボルト３１の頭部を隠すための突条部５Ｃが折り曲げ形成されている。
【００１９】
連結板６は２枚で略円形状となる円弧形状であり、各分割ディスク５Ａの内周側の側面にネジ止めされる。この連結板６は各分割ディスク５Ａから周方向に若干突出するように分割ディスク５Ａに取り付けられており、この突出部分が周方向に隣り合う分割ディスク５Ａに連結され、ディスク５の補強と取り付け強度とが向上されるようになっている。
前記取り付け体４の取付フランジ部４Ｂは、ボルト３２をディスク５と連結板６とに貫通して連結されるが、取付フランジ部４Ｂと連結板６とを連結し、連結板６とディスク５とを連結してもよい。
【００２０】
また、２枚の分割ディスク５Ａの周方向の連結強度を高めるために、図３に示すように、連結補助板３４を設けておくことが好ましい。
図８はディスク５の変形例を示しており、このディスク５の２枚の分割ディスク５Ａは、それぞれ外周縁に鋸歯状の切断刃８を形成しており、圃場との間で草をより強力に切断できるようにし、爪軸３の軸受部分への草の巻き付きを防止できるようにしている。また、ディスク５に孔３６を形成して、計量化を図っている。
【００２１】
なお、本発明は前記実施の形態に限定されるものではなく、種々変形することができる。例えば、ディスク５はセンタドライブ式のロータリ耕耘機の傾斜爪軸の両端に設けてもよく、ディスク５を３分割以上に等分割したり又は不等分割したり、取り付け体４を爪ブラケット１６とは別位置で爪軸３に固着したり、実施の形態のディスク５の外周縁に鋭利な刃部を形成して切断刃８としたり、連結板６及び連結補助板３４を割愛して、取り付け体４にディスク５を直接固定したりしてもよい。
【００２２】
【発明の効果】
以上詳述した本発明によれば、複数枚に分割されたディスク５は、ロータリ機枠１０から爪軸３を取り外さなくとも、爪軸３に径外側から着脱可能であり、アタッチメントとして必要に応じて簡単かつ容易に利用でき、ディスク５をそれぞれ取り付け体４に取り付けると、略円形の外周が形成され、軸受部１７への草の巻き付きが十分に防止できる。
【図面の簡単な説明】
【図１】本発明の実施の形態を示す分解斜視図である。
【図２】要部の断面背面図である。
【図３】要部の一部断面側面図である。
【図４】ロータリ耕耘機全体の背面図である。
【図５】図２のＸ−Ｘ線断面図である。
【図６】取り付け体の側面図である。
【図７】図３のＹ−Ｙ線断面図である。
【図８】ディスクの変形例を示す側面図である。
【図９】ディスクの比較例を示す側面図である。
【符号の説明】
１        ロータリ耕耘機
２        耕耘爪
３        爪軸
４        取り付け体
５        ディスク
５Ａ      分割ディスク
５Ｂ      オーバラップ部
６        連結板
７        線状部材
８        切断刃
１１      ギヤケース
１２      サポートアーム
１３      伝動ケース
１４      サイドフレーム
１５      回転軸
１６      爪ブラケット
１７      軸受部
Ｄ        外径
Ｅ        回転軌跡径
【図１】
0004166930.tif 000002
【図２】
0004166930.tif 000003
【図３】
0004166930.tif 000004
【図４】
0004166930.tif 000005
【図５】
0004166930.tif 000006
【図６】
0004166930.tif 000007
【図７】
0004166930.tif 000008
【図８】
0004166930.tif 000009
【図９】
0004166930.tif 000010